(57)【要約】      （修正有）【課題】干す場合に必要な空間を小さくでき、しかも、干すことが容易にできるタオルを提供する。【解決手段】バスタオル１は、厚み方向に貫通する貫通部３を有しており、その貫通部３は、衣服用のハンガーのフック部９が挿通可能である。よって、貫通部３にハンガーのフック部９を通して、バスタオル１をハンガーに掛けることができ、このバスタオル１を掛けたハンガーを、物干し竿に掛けることができる。そのため、バスタオル１を物干し竿に掛ける場合のように、物干し竿の広い領域を占めることがないので、他の洗濯物を干す領域を十分に確保できる。また、バスタオル１の貫通部３にハンガーのフック部９を通して、バスタオル１をハンガーに掛ければいいので、バスタオル１をハンガーに掛ける際に手間が少ない。【選択図】図２
0003235309.tif 000002
【実用新案登録請求の範囲】
【請求項１】
厚み方向に貫通する切れ目又は開口から構成された貫通部を有するとともに、当該貫通部は衣服用のハンガーのフック部が挿通可能であるように構成された、
タオル。
【請求項２】
平面視で、前記貫通部の最大長は、前記ハンガーの衣服を掛ける部分である肩支持部の最大長より小であるように構成された、
請求項１に記載のタオル。
【請求項３】
前記タオルは、平面視で、長方形の形状を有する、
請求項１又は２に記載のタオル。
【請求項４】
前記貫通部は、平面視で、前記タオルの重心から、前記長方形の長辺の方向である長手方向にずれた位置に設けられている、
請求項３に記載のタオル。
【請求項５】
前記貫通部は、平面視で、長手方向において、前記タオルの端部から前記タオルにおける前記長手方向の１／４〜１／３の範囲に設けられている、
請求項３又は４に記載のタオル。
【請求項６】
前記貫通部は、平面視で、長手方向より前記長方形の短辺の方向である短手方向の寸法が大であるように構成された、
請求項３〜５のいずれか１項に記載のタオル。
【考案の詳細な説明】
【技術分野】
【０００１】
本開示は、長方形等の形状のタオルに関する。
【背景技術】
【０００２】
特許文献１には、１枚の布（例えばパイル地の布）からなる長方形のタオルが記載されている。このタオルは、半分等に折り畳みでき、体を拭く場合などに用いられる。
【先行技術文献】
【特許文献】
【０００３】
【特許文献１】実用新案登録第３１５１５２０号公報
【考案の概要】
【考案が解決しようとする課題】
【０００４】
しかしながら、上述した従来技術では、タオル（特にバスタオル）は、大きな寸法を有しているので、洗濯したバスタオルを物干し竿に干す場合には、物干し竿の大きな範囲を占有してしまうという問題があった。
【０００５】
つまり、バスタオルを広げて物干し竿に掛ける場合には、物干し竿の広い範囲を使用するので、他の洗濯物を干す空間を確保することが難しいという問題があった。
【０００６】
また、バスタオルを、衣服用のハンガーを用いて干す場合には、バスタオルを例えば半分に折って、ハンガーの山形の肩支持部と肩支持部の下部の左右を繋ぐ棒状部分との間に通してから、棒状部分に掛けなければならず、タオルをハンガーに掛ける際に手間がかかるという問題があった。つまり、ハンガーを用いてタオルを干す場合に手間がかかるという問題があった。
【０００７】
本開示は、タオルを干す場合に必要な空間を小さくでき、しかも、しかも、タオルを干すことが容易にできる技術を提供することを目的とする。
【課題を解決するための手段】
【０００８】
（１）本開示の一態様のタオルは、厚み方向に貫通する切れ目又は開口から構成された貫通部を有しており、この貫通部は、衣服用のハンガーのフック部が挿通可能なように構成されている。
【０００９】
このように構成された本開示のタオルは、厚み方向に貫通する切れ目又は開口から構成された貫通部を有するので、その貫通部に衣服用のハンガーのフック部を通して、タオルをハンガー自体に掛けることができる。従って、このタオルを掛けたハンガーを、衣服を掛けたハンガーと同様に、物干し竿に掛けることができる。
【００１０】
従って、タオルをそのまま物干し竿に掛ける場合のように、物干し竿の広い領域を占めることがないので、他の洗濯物を干す領域を十分に確保できるという効果がある。よって、本開示は、バスタオルのように寸法の大きなタオルの場合に、特に効果がある。
【００１１】
また、本開示では、通常の衣服と同様に、タオルの貫通部にハンガーのフック部を通して、タオルをハンガーにかければいいので、タオルをハンガーに掛ける動作が容易である。従って、ハンガーを用いてタオルを干すのに手間がかからないという効果がある。
【００１２】
（２）本開示の他の態様のタオルでは、平面視で、貫通部の最大長は、ハンガーの衣服を掛ける部分である肩支持部の最大長より小である。
このように構成された本開示のタオルは、貫通部の最大長は、ハンガーの肩支持部の最大長より小であるので、ハンガーが貫通部を通り抜けにくい。従って、ハンガーに掛けたタオルがハンガーから落ちにくいという効果がある。
【００１３】
（３）本開示の他の態様のタオルは、その形状が長方形である。このようなタオルとしては、一般的なバスタオル等のタオルが挙げられる。
（４）本開示の他の態様のタオルでは、貫通部は、タオルの重心からタオルの長手方向にずれた位置に設けられている。
【００１４】
このように構成された本開示のタオルは、ハンガーに掛けた場合には、タオルの厚み方向で且つ水平方向から見たときには、布が２重になる部分だけでなく、布が一枚の部分がある。従って、例えば、貫通部がタオルの重心にある場合に比べて、乾き易いという効果がある。
【００１５】
（５）本開示の他の態様のタオルでは、貫通部は、長手方向において、タオルの端部から長手方向の１／４〜１／３の範囲に設けられている。
このように構成された本開示のタオルは、ハンガーに掛けた場合には、布が一枚の部分の面積が広いので、一層乾き易いという効果がある。なお、貫通部がタオルの端部に近いほど、布が一枚の部分の面積が広いので乾き易くなる。一方、貫通部がタオルの重心に近いほど、タオルの上下方向の寸法が短くなるので、物干し竿を低く配置できるという利点がある。
【００１６】
（６）本開示の他の態様のタオルでは、貫通部は、長手方向より短手方向の寸法が大である。
このように構成された本開示のタオルでは、タオルをハンガーに掛ける場合に、ハンガーをタオルの短手方向に合わせて配置し易い。よって、ハンガーの向き（即ち、肩支持部が広がる方向）に合わせてタオルを掛けやすいという効果がある。
【図面の簡単な説明】
【００１７】
【図１】実施形態のバスタオルを示す平面図である。
【図２】実施形態のバスタオルの貫通部にハンガーのフック部を通した状態をバスタオルの厚み方向（Ｚ軸方向）から見た様子を示す説明図である。
【図３】実施形態のバスタオルの貫通部にハンガーのフック部を通した状態を側方（Ｘ軸方向）から見た様子を示す説明図である。
【図４】実施形態のバスタオルをハンガーに掛けた状態を示す説明図である。
【図５】実施形態のバスタオルをハンガーに掛け、そのハンガーを物干し竿に吊した状態を示す説明図である。
【図６】（ａ）は変形例１のバスタオルを示す平面図、（ｂ）は変形例２のバスタオルを示す平面図である。
【考案を実施するための形態】
【００１８】
［１．実施形態］
以下に本開示の実施形態を図面とともに説明する。
［１−１．構造］
まず、本実施形態のバスタオル１の構造について、図１に基づいて説明する。
【００１９】
本実施形態のバスタオル１は、柔軟性を有する１枚のパイル地からなる布から構成されたタオルである。
このバスタオル１の形状は、バスタオル１の全体を広げた状態において、厚み方向から見た平面視で、長方形である。また、バスタオル１の大きさは、例えば、長手方向（即ち、長方形の長辺の方向：Ｘ軸方向）の寸法は１２０ｃｍ、短手方向（即ち、長方形の短辺の方向：Ｙ軸方向）の寸法は６０ｃｍである。なお、厚み方向とは、ＸＹＺ座標において、Ｘ軸方向とＹ軸方向に対して垂直のＺ軸方向である。
【００２０】
また、バスタオル１には、厚み方向に貫通する切れ目（即ちスリット）から構成された貫通部（即ち、貫通孔）３が設けられている。
この貫通部３は、バスタオル１の短手方向に沿って延びている。つまり、貫通部３は、平面視で、バスタオル１の長手方向よりも短手方向の寸法が大である。なお、貫通部３の前記短手方向（即ち、Ｙ軸方向）における寸法は、例えば５ｃｍ〜１５ｃｍの範囲（例えば、８ｃｍ）である。
【００２１】
前記貫通部３は、平面視で、バスタオル１の重心から長手方向にずれた位置に設けられている。詳しくは、貫通部３は、平面視で、バスタオル１の長手方向において、バスタオル１の端部からバスタオル１における長手方向の例えば１／４〜１／３の範囲に設けられている。
【００２２】
本実施形態では、バスタオル１の端部からバスタオル１における長手方向の例えば１／３の位置に設けられている。なお、図１では、バスタオル１の長手方向における１／３の寸法をＷ１で示してある。
【００２３】
さらに、貫通部３の周囲（即ち、切れ目の周囲）には、バスタオル１を構成する糸がほつれないように、ほつれを防ぐための加工が施されている。例えば、貫通部３の周囲には、かがり縫いによるほつれ防止部５が、帯状に設けられている。
【００２４】
特に、本実施形態のバスタオル１は、後述するように、衣服用のハンガー７（図２参照）に掛けることができるように、前記貫通部３が構成されている。
つまり、貫通部３においてバスタオル１の短手方向における長さ（即ち、貫通部３の最大長）は、図２に示すように、衣服用のハンガー７において当該ハンガー７自身を吊すことが可能なフック部９が挿通可能な寸法である。詳しくは、貫通部３は、フック部９の左右方向（Ｙ軸方向）における最大長（Ｗ２）以上の長さを有する。
【００２５】
なお、フック部９は図２の上下方向に延びる軸部９ａを中心にして回転するが、フック部９の左右方向における最大長さとは、フック部９を回転させた場合において軸部９ａに垂直な方向における最大長である。
【００２６】
しかも、貫通部３の最大長は、ハンガー７の衣服を掛ける部分である肩支持部１１の最長部分の長さ、即ち、肩支持部１１の左右方向に広がった部分の最大長（図２のＹ軸方向における長さ：Ｗ３）よりも小さい。
【００２７】
＜ハンガー＞
ここで、上述したバスタオル１を掛けることができるハンガー７、即ち、衣服を掛けることができる衣服用のハンガー７について、簡単に説明する。
【００２８】
図２及び図３に示すように、衣服用のハンガー７は、ハンガー７自身を吊すことができるフック部９と、衣服をかける部分である肩支持部１１とを有する。
フック部９は、周知のように、先端側（吊す場合に上側となる側）が、物干し竿１３（図５参照）等に引っかける部分である円弧状に湾曲したフック本体９ｂと、フック本体９ｂから下方に延びる軸部９ａと、を有する。
【００２９】
肩支持部１１は、図２に示すように、フック部９が取り付けられる部分から、下端側に向かって左右（図２のＹ軸方向）に傾斜して延びる支持本体１１ａと、支持本体１１ａの左右の両端を繋ぐように水平（即ち、吊した場合の水平）に延びる棒状の下部部材１１ｂと、を有する。
【００３０】
［１−２．使用方法］
次に、本実施形態のバスタオル１の使用方法について説明する。
洗濯したバスタオル１は、例えば、下記の手順のように、衣服用のハンガー７を用いて干すことができる。
【００３１】
（１）図２に示すように、まず、バスタオル１の貫通部３に、ハンガー７のフック部９を通す。
（２）次に、バスタオル１の短手方向に沿うように、ハンガー７の肩支持部１１を配置する。つまり、図２に示すように、バスタオル１の短手方向とハンガー７の肩支持部１１が延びる左右方向とを合わせる。
【００３２】
なお、このように、バスタオル１の貫通部３にハンガー７のフック部９を通した状態で、ハンガー７のフック部９を持つと、図４に示すように、バスタオル１は、ハンガー７の肩支持部１１に支持されて吊された状態となる。つまり、バスタオル１のうち、肩支持部１１で支持された部分は、肩支持部１１の傾斜に沿って傾斜し、その他の部分は、図４に示すように垂れ下がった状態となる。
【００３３】
つまり、バスタオル１がハンガー７に掛けられて、下方に向かって延びた状態、即ち、バスタオル１がハンガー７から垂れ下がった状態となる。
また、ハンガー７のフック部９を持った状態では、肩支持部１１の左右方向における中央部分、即ち、上方に凸となった首部（即ち、フック部９が取り付けられている部分）１１ｃが、貫通部３より上側に露出する。
【００３４】
（３）次に、この状態で、図５に示すように、ハンガー７のフック部９を物干し竿１３にかける。なお、この場合には、物干し竿１３が延びる方向と、バスタオル１の短手方向、即ち、ハンガー７の肩支持部１１が延びる左右方向とが垂直方向となるように配置することが好ましい。
【００３５】
［１−３．効果］
次に、本実施形態の効果について説明する。
（１ａ）本実施形態のバスタオル１は、厚み方向に貫通する貫通部３を有しており、その貫通部３は、衣服用のハンガー７のフック部９が挿通可能なように構成されている。
【００３６】
よって、貫通部３にハンガー７のフック部９を通して、バスタオル１をハンガー７自体に掛けることができる。従って、このバスタオル１を掛けたハンガー７を、衣服を掛けたハンガー７と同様に、物干し竿１３に掛けることができる。
【００３７】
そのため、バスタオル１をそのまま物干し竿１３に掛けた場合のように、物干し竿１３の広い領域を占めることがないので、他の洗濯物を干す領域を十分に確保できるという効果がある。従って、バスタオル１のように寸法の大きなタオルの場合に、特に効果がある。
【００３８】
また、本実施形態では、通常の衣服と同様に、バスタオル１の貫通部３にハンガー７のフック部９を通して、バスタオル１をハンガー７に掛ければいいので、バスタオル１をハ
ンガー７に掛ける際に手間がかからないという効果がある。つまり、ハンガー７を用いてバスタオル１を容易に干すことができる。
【００３９】
（１ｂ）本実施形態では、平面視で、貫通部３の最大長は、ハンガー７の肩支持部１１の最大長より小である。従って、ハンガー７に掛けたバスタオル１がハンガー７から抜け落ちにくいという効果がある。
【００４０】
（１ｃ）本実施形態では、貫通部３は、バスタオル１の重心から長手方向にずれた位置に設けられている。具体的には、貫通部３は、バスタオル１の端部から長手方向の１／４〜１／３の範囲（例えば１／３の位置）に設けられている。
【００４１】
従って、バスタオル１をハンガー７に掛けた場合には、水平方向から見て、布が２重になる部分だけでなく、布が一枚の部分がある。そのため、貫通部３がバスタオル１の重心にある場合に比べて、乾き易いという効果がある。
【００４２】
なお、長手方向において、貫通部３がバスタオル１の端部に近いほど、布が一枚の部分の面積が広いので乾き易くなる。一方、貫通部３がバスタオル１の重心に近いほど、バスタオル１の上下方向の寸法が短くなるので、物干し竿１３を低く配置できるという利点がある。
【００４３】
（１ｄ）本実施形態では、貫通部３は、長手方向より短手方向の寸法が大である。
従って、バスタオル１をハンガー７に掛ける場合に、ハンガー７をバスタオル１の短手方向に合わせて配置し易い。よって、ハンガー７の向き（即ち、肩支持部１１が広がる方向）に合わせてバスタオル１を掛けやすいという効果がある。
【００４４】
［変形例］
次に、本実施形態の変形例を図面とともに説明する。
（１）図６（ａ）に示すように、変形例１のバスタオル２１は、前記実施形態と同様な長方形のバスタオルである。この変形例１でも、貫通部２３は、バスタオル２１の短手方向に沿って延びている。
【００４５】
特に、変形例１では、貫通部２３は、平面視で、バスタオル２１の長手方向において、バスタオル２１の端部からバスタオル２１における長手方向の１／４の位置に設けられている。
【００４６】
本変形例１は、前記実施形態と同様な効果を奏する。
（２）図６（ｂ）に示すように、変形例２のバスタオル３１は、前記変形例１と同様な長方形のバスタオルである。
【００４７】
本変形例２では、貫通部３３は、バスタオル２１の短手方向に沿って延びているが、その形状は楕円形状（又は長円形状）の開口である。
なお、本変形例２では、前記実施形態と同様に、貫通部３３は、平面視で、バスタオル３１の長手方向において、バスタオル３１の端部からバスタオル３１における長手方向の１／３の位置に設けられている。なお、前記変形例１と同様に、貫通部３３は、平面視で、バスタオル３１の長手方向において、バスタオル３１の端部からバスタオル３１における長手方向の１／４の位置に設けられていてもよい。
【００４８】
本変形例２は、前記実施形態と同様な効果を奏する。また、貫通部３３が開口しているので、ハンガー７のフック部９を貫通部３３に通し易いという利点がある。
【００４９】
［２．他の実施形態］
以上、本開示の一実施形態について説明したが、本開示は上記実施形態に限定されるものではなく、種々変形して実施することができる。
【００５０】
（２ａ）例えば、本開示のタオルは、バスタオルに限らず、各種のタオルに適用できる。
（２ｂ）本開示のタオルの形状は、長方形に限らず、正方形、５角形以上の多角形など、各種の形状を採用できる。
【００５１】
（２ｃ）貫通部の周囲のほつれを防止するために、布を帯状に縫い付けるようにして、パイピングを施してもよい。
（２ｄ）タオルの長手方向における貫通部の位置は、タオルの端部からタオルの長手方向の１／４〜１／３の範囲に限らず、例えば、１／８〜５／１２の範囲など、各種の範囲を採用できる。
【００５２】
また、貫通部の位置は、前記範囲以外にも、貫通部にハンガーのフック部を通して、タオルをハンガーに掛けることができる各種の範囲を採用できる。例えば、貫通部の位置は、タオルの長手方向における中心（即ち、重心）の位置であってもよい。
【００５３】
（２ｅ）タオルの短手方向における貫通部の寸法は、前記実施形態の寸法に限らず、タオルをハンガーに掛けることができる各種の寸法を採用できる。
（２ｆ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加または置換してもよい。
【符号の説明】
【００５４】
１、２１、３１…バスタオル、３、２３、３３…貫通部、７…ハンガー、９…フック部、１１…肩支持部
【図１】
0003235309.tif 000003
【図２】
0003235309.tif 000004
【図３】
0003235309.tif 000005
【図４】
0003235309.tif 000006
【図５】
0003235309.tif 000007
【図６】
0003235309.tif 000008